(57)【要約】【課題】本発明は閉鎖空間で効率よくリラックスでき、不使用時には小さくなる収納状態にすることができ、また、閉鎖空間で効率よくミスト浴ができるリラクゼーションブースおよびミスト浴用リラクゼーションブースを得るにある。【解決手段】ベース板の先端部に下部が固定された上部が後部上方へ突出するシートバックケースと、このシートバックケースの下部あるいはベース板の先端部に回動可能に取付けられた該シートバックケースの前面を覆うことができるとともにほぼ水平状態で床面に支持されるカバーケースと、このカバーケースとシートバックケース内に収納されたシートクッションと、カバーケースを開放して床面に支持させた状態でカバーケースとシートバックケースとの間に閉鎖空間を形成することができるカバーとでリラクゼーションブースを構成している。【選択図】  図１０
2008061866.tif 000002
【特許請求の範囲】
【請求項１】
床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、このカバーケースと前記シートバックケース内に収納されたシートクッションと、前記カバーケースを開放して床面に支持させた状態で、該カバーケースと前記シートバックケースとの間に閉鎖空間を形成することができるカバーとからなるリラクゼーションブース。
【請求項２】
床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、前記シートバックケースの下部に回動可能に枢支された複数個のコ字状の回動フレームにカバーシートが取付けられた、前記カバーケースを開放して床面に支持させた状態で、該カバーケースと前記シートバックケースとの間に閉鎖空間を形成するカバーと、前記カバーケースと前記シートバックケース内に収納されたシートクッションとからなることを特徴とするリラクゼーションブース。
【請求項３】
床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、このカバーケースと前記シートバックケース内に収納されたシートクッションと、前記カバーケースを開放して床面に支持させた状態で、該カバーケースと前記シートバックケースとの間に閉鎖空間を形成することができるカバーと、前記ベース板に取付けられた前記カバーによって形成された閉鎖空間でミスト浴が可能な温水ミスト供給装置とからなることを特徴とするミスト浴用リラクゼーションブース。
【発明の詳細な説明】
【技術分野】
【０００１】
本発明はリラックスして気分転換を図ったりする場合に使用したり、ミスト浴を行なう場合に使用することができるリラクゼーションブースおよびミスト浴用リラクゼーションブースに関する。
【背景技術】
【０００２】
従来、リラックスして気分転換を図ったりする場合、リラックスできる椅子に座って音楽を聴くものや、建物にサウナ室やミスト浴室を設置している。
【０００３】
このため、前者の椅子に座って音楽を聴く場合、椅子を設置する室内を薄暗くしなければ十分な効果が得られないとともに、建物に設置する場合、設置費がかかりコスト高になるとともに、設置場所の変更が簡単にできないという欠点があった。
【特許文献１】特になし
【発明の開示】
【発明が解決しようとする課題】
【０００４】
本発明は以上のような従来の欠点に鑑み、閉鎖空間で効率よくリラックスできるとともに、不使用時には小さくなる収納状態にすることができるリラクゼーションブースを提供することを目的としている。
【０００５】
また、本発明は閉鎖空間で効率よくミスト浴ができるとともに、不使用時には小さくなる収納状態にすることができるミスト浴用リラクゼーションブースを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、このカバーケースと前記シートバックケース内に収納されたシートクッションと、前記カバーケースを開放して床面に支持させた状態で、該カバーケースと前記シートバックケースとの間に閉鎖空間を形成することができるカバーとでリラクゼーションブースを構成している。
【０００８】
本発明は床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、このカバーケースと前記シートバックケース内に収納されたシートクッションと、前記カバーケースを開放して床面に支持させた状態で、該カバーケースと前記シートバックケースとの間に閉鎖空間を形成することができるカバーと、前記ベース板に取付けられた前記カバーによって形成された閉鎖空間でミスト浴が可能な温水ミスト供給装置とでミスト浴用リラクゼーションブースを構成している。
【発明の効果】
【０００９】
以上の説明から明らかなように、本発明にあっては次に列挙する効果が得られる。
【００１０】
（１）床面に支持させることができるベース板と、このベース板の先端部に下部が固定された上部が後部上方へ突出するシートバックケースと、このシートバックケースの下部あるいは、前記ベース板の先端部に回動可能に取付けられた該シートバックケースの前面を覆うことができるとともに、ほぼ水平状態で床面に支持されるカバーケースと、このカバーケースと前記シートバックケース内に収納されたシートクッションと、前記カバーケースを開放して床面に支持させた状態で、該カバーケースと前記シートバックケースとの間に閉鎖空間を形成することができるカバーとで構成されているので、カバーで覆われた閉鎖空間でシートクッションに座ってシートバックに身体を預けると、カバーによって室内の照明に関係なくリラックスした状態になれる。
したがって、室内照明等に関係なく使用することができる。
【００１１】
（２）前記（１）によって、不使用時にはシートバックケースをカバーケースで覆うことにより、小さな収納スペースにできる。
したがって、不使用時に大きなスペースをとってじゃまになるのを、確実に防止することができる。
【００１２】
（３）前記（１）によって、ベース板を基に組立てられているので、比較的容易に設置場所を変更することができる。
【００１３】
（４）請求項2も前記（１）〜（３）と同様な効果が得られるとともに、カバーの開閉を容易に行なうことができる。
【００１４】
（５）請求項３も前記（１）〜（３）と同様な効果が得られるとともに、簡単にミスト浴を行なうことができる。
【発明を実施するための最良の形態】
【００１５】
以下、図面に示す本発明を実施するための最良の形態により、本発明を詳細に説明する。
【００１６】
図１ないし図１０に示す本発明を実施するための最良の第１の形態において、１は設置場所を容易に変更して使用することができるミスト浴用リラクゼーションブースで、このミスト浴用リラクゼーションブース１は四隅部の底面にキャスター２、２、２、２が取付けられた床面に支持させることができるベース板３と、このベース板３の先端部に下部が固定された上部が後部上方へ突出する弧状の凹部４にシートバック材５が取付けられたシートバックケース６と、このシートバックケース６の下部背面および、前記ベース板３に固定された機器収納ケース７と、この機器収納ケース７に収納された前記シートバックケース６の中央部より上部位置に形成された、該機器収納ケース７内と連通するミスト供給口８より温水ミストを供給する温水ミスト供給装置９と、前記シートバックケース６の下部に形成された軸受１０、１０に取付けられた軸１１に下端部が回動可能に取付けられた、該シートバックケース６の前面を覆うことができるとともに、ほぼ水平状態で床面に支持される支持片１２を先端外側部に有する弧状の凹部１３が形成されたカバーケース１４と、前記軸１１に回動可能に取付けられた前記シートバックケース６と前記カバーケース１４内に収納されるシートクッション１５と、前記軸１１に回動可能に取付けられたコ字状の複数個、本実施の形態では４個の回動フレーム１６、１７、１８、１９と、この回動フレーム１６、１７、１８、１９および前記シートバックケース６の外周部寄りの内壁面に一端部が固定された可撓シート材製のカバーシート２０とからなるカバー２１と、前記カバーケース１４で前記シートバックケース６を閉じた状態で、該部材の上部でロックすることができるロック装置２２とで構成されている。
【００１７】
前記温水ミスト供給装置９は図８および図９に示すように、下部にエアー吸引口２３が形成され、上部中央部に排出口２４が形成されたケース体２５と、このケース体２５内の上部寄りの部位に、外周部に前記エアー吸引口２３と連通するエアー通路２６が形成されるように取付けられた上部開口するヒーター２７で所定温度に加熱される温水収納容器２８と、前記エアー通路２６を通過するエアーを所定温度に加熱する加熱ヒーター２９と、前記温水収納容器２８の外周部のエアー通路２６を通過する所定温度に加熱されたエアーを、該温水収納容器２８内へ導き、前記排出口２４より排出することができる下方エアー通路２６と、前記ケース体２５内に取付けられた前記エアー吸引口２３よりエアーを吸引して前記エアー通路２６を通過させるファン３０と、前記温水収納容器２８内に収納された所定温度に加熱されたお湯を吸引して外方へ飛散させて衝突させることによって陰イオンを含む超微細ミストを発生させる、前記ケース体２５に取付けられたミスト発生機３１とで構成されている。
【００１８】
上記構成のミスト浴用リラクゼーションブース１は、不使用時には図１ないし図３に示すようにシートバックケース６とカバーケース１４内に、シートクッション１５とカバー２１が収納された状態で閉じた小さなスペースの収納状態となる。
【００１９】
使用する場合にはカバーケース１４を開放して床面に支持させるとともに、シートクッション１５を座れるように回動位置させ、カバー２１の開口端部をカバーケース１４と当接させるように位置させ、温水ミスト供給装置９を駆動させてカバー２１で覆われた閉鎖空間３２をミスト浴できるようにした後、カバー２１の開口端部を開放し、内部に入ってシートクッション１５に座り、シートバック材５に身体を委ねるような姿勢になることにより、リラックスした状態でミスト浴を楽しむことができる。
なお、温水ミスト供給装置９を駆動させない状態で、カバー２１内の閉鎖空間３２に入ってシートクッション１５、シートバック材５にリラックス状態で座ることにより瞑想や気分転換を図ることができる。
[発明を実施するための異なる形態]
【００２０】
次に、図１１ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１３に示す本発明を実施するための第２の形態において、前記本発明を実施するための最良の第１の形態と主に異なる点は、カバーケース１４を開放した状態で、該カバーケース１４とシートバックケース６の間に閉鎖空間３２を形成することができる一側面に開閉扉３３を設けたカバー２１Ａを着脱可能に取付けられるようにした点で、このようなカバー２１Ａを用いて構成したミスト浴用リラクゼーションブース１Ａにしても、前記本発明を実施するための最良の第１の形態と同様な作用効果が得られる。
本発明を実施する形態では、固定的に設置して使用する場合には、固定的に形成したカバーを用いることにより美観の向上を図ることができる。
また、コストの低減や設置場所を変更するような使用をする場合には、組立て式、折りたたんで収納できるようなカバーを用いるとよい。
【００２２】
図１４ないし図１６に示す本発明を実施するための第３の形態において、前記本発明を実施するための最良の第１の形態と主に異なる点は、温水ミスト供給装置の代わりにシートバックケース６の上部内壁面にスピーカー３４、３４を配置し、機器収納ケース７内にシートバックケース６に設けた操作盤３５の操作で作動する癒しの音楽を前記スピーカー３４、３４より流すことができるオーディオ機器３６を配置した点で、このように構成したリラクゼーションブース３７にしてもよい。
【００２３】
図１７ないし図１９に示す本発明を実施するための第４の形態において、前記本発明を実施するための第２の形態と主に異なる点は、温水ミスト供給装置の代わりにカバー２１Ａの内壁面に日焼けのための紫外線照射装置３８を設置した点で、このように紫外線照射装置３８をカバー２１Ａに取付けたリラクゼーションブース３７Ａにすることにより、日焼けを楽しむことができる。
【産業上の利用可能性】
【００２４】
本発明はリラクゼーションブースを製造する産業で利用される。
【図面の簡単な説明】
【００２５】
【図１】本発明を実施するための最良の第１の形態の側面図。
【図２】本発明を実施するための最良の第１の形態の正面図。
【図３】本発明を実施するための最良の第１の形態の背面図。
【図４】本発明を実施するための最良の第１の形態の開放した状態の側面図。
【図５】本発明を実施するための最良の第１の形態の開放した状態の正面図。
【図６】本発明を実施するための最良の第１の形態のカバーを閉じた状態の側面図。
【図７】本発明を実施するための最良の第１の形態のカバーを閉じた状態の縦断面図。
【図８】本発明を実施するための最良の第１の形態の温水ミスト供給装置の斜視図。
【図９】本発明を実施するための最良の第１の形態の温水ミスト供給装置の断面図。
【図１０】本発明を実施するための最良の第１の形態の使用状態の説明図。
【図１１】本発明を実施するための第２の形態の説明図。
【図１２】本発明を実施するための第２の形態の使用状態の説明図。
【図１３】本発明を実施するための第２の形態の使用状態の縦断面図。
【図１４】本発明を実施するための第３の形態の側面図。
【図１５】本発明を実施するための第３の形態の開放した状態の正面図。
【図１６】本発明を実施するための第３の形態の使用状態の説明図。
【図１７】本発明を実施するための第４の形態の説明図。
【図１８】本発明を実施するための第４の形態の使用状態の説明図。
【図１９】本発明を実施するための第４の形態の使用状態の縦断面図。
【符号の説明】
【００２６】
１、１Ａ：ミスト浴用リラクゼーションブース、
２：キャスター、                                      ３：ベース板、
４：弧状の凹部、                                      ５：シートバック材、  
６：シートバックケース、                      ７：機器収納ケース、
８：ミスト供給口、                                  ９：温水ミスト供給装置、
１０：軸受、                                              １１：軸、
１２：支持片、                                                        １３：弧状の凹部、
１４：カバーケース、                              １５：シートクッション、
１６、１７、１８、１９：回動フレーム、
２０：カバーシート、                              ２１、２１Ａ：カバー、
２２：ロック装置、                                  ２３：エアー吸引口、
２４：排出口、                                                        ２５：ケース体、
２６：エアー通路、                                  ２７：ヒーター、
２８：温水収納容器、                              ２９：加熱ヒーター、
３０：ファン、                                                        ３１：ミスト発生機、
３２：閉鎖空間、                                      ３３：開閉扉、
３４：スピーカー、                                  ３５：操作盤、
３６：オーディオ機器、                          
３７、３７Ａ：リラクゼーションブース、
３８：紫外線照射装置。
【図１】
2008061866.tif 000003
【図２】
2008061866.tif 000004
【図３】
2008061866.tif 000005
【図４】
2008061866.tif 000006
【図５】
2008061866.tif 000007
【図６】
2008061866.tif 000008
【図７】
2008061866.tif 000009
【図８】
2008061866.tif 000010
【図９】
2008061866.tif 000011
【図１０】
2008061866.tif 000012
【図１１】
2008061866.tif 000013
【図１２】
2008061866.tif 000014
【図１３】
2008061866.tif 000015
【図１４】
2008061866.tif 000016
【図１５】
2008061866.tif 000017
【図１６】
2008061866.tif 000018
【図１７】
2008061866.tif 000019
【図１８】
2008061866.tif 000020
【図１９】
2008061866.tif 000021